(57)【要約】【目的】簡単な制御で迅速かつ完全にホログラムを再生することができるホログラム記録再生装置を提供する。【構成】ホログラムが記録された所定領域に参照光を照射することで回折光を生じさせ、この回折光を撮像手段で受光することにより、ホログラムを再生するホログラム記録再生装置であって、このホログラム記録再生装置は、ホログラムを再生する際、所定領域に対して所定の角度範囲ｔ，Ｔで入射角を変化させながら参照光を照射するとともに、その所定の角度範囲ｔ，Ｔをホログラム記録媒体の歪み度合いに応じて変化させ、参照光の入射角を変化させる間、撮像手段の露光状態を継続させるように構成されている。【選択図】図４
2008152009.tif 000002
【特許請求の範囲】
【請求項１】
記録すべき情報に応じて変調された記録光をホログラム記録媒体の所定領域に集光させるのと同時に、この所定領域に対して所定の入射角をなすように参照光を照射し、これら記録光と参照光との干渉によりホログラムを記録する一方、ホログラムが記録された上記所定領域に参照光を照射することで回折光を生じさせ、この回折光を撮像手段で受光することにより、上記ホログラムを再生するホログラム記録再生装置であって、
上記ホログラムを再生する際、上記所定領域に対して所定の角度範囲で入射角を変化させながら参照光を照射するとともに、その所定の角度範囲を上記ホログラム記録媒体の歪み度合いに応じて変化させる参照光照射制御手段と、
上記所定の角度範囲で参照光の入射角を変化させる間、上記撮像手段に露光状態を継続させる撮像制御手段と、
を備えていることを特徴とする、ホログラム記録再生装置。
【請求項２】
上記参照光照射制御手段は、上記ホログラム記録媒体の記録時に対する再生時の歪み度合いが大になるほど、上記所定の角度範囲を大きくとる、請求項１に記載のホログラム記録再生装置。
【請求項３】
上記参照光照射制御手段は、上記所定の角度範囲で参照光の入射角を時間的に変化させる割合を上記ホログラム記録媒体の歪み度合いに応じて可変制御する、請求項１または２３に記載のホログラム記録再生装置。
【請求項４】
上記参照光照射制御手段は、参照光の入射角を変化させる際、その入射角を上記所定の角度範囲内において繰り返し変動させる、請求項３に記載のホログラム記録再生装置。
【請求項５】
上記所定の角度範囲には、記録時における上記所定の入射角に対応した角度が含まれる、請求項１ないし４のいずれかに記載のホログラム記録再生装置。
【発明の詳細な説明】
【技術分野】
【０００１】
本発明は、ホログラムの記録再生機能を備えたホログラム記録再生装置に関し、特に、再生時に優れた効果を発揮するものに関する。
【背景技術】
【０００２】
従来のホログラム記録再生装置としては、たとえば特許文献１に開示されたものがある。このホログラム記録再生装置は、記録光をホログラム記録媒体の所定領域に集光させるのと同時に、この所定領域に対して所定の入射角をなすように参照光を照射し、これら記録光と参照光との干渉によりホログラムを記録する一方、ホログラムが記録された所定領域に参照光を照射することで回折光を生じさせ、この回折光を撮像装置で受光することにより、ホログラムを再生するように構成されたものであり、特に、撮像装置のホログラム再生画像処理に特徴を有するものである。
【０００３】
一般に、ホログラム記録媒体は、記録時に対する再生時の雰囲気温度の違いなどから歪みを生じやすく、そのような歪みがある場合、記録時と同じ入射角で参照光を照射しても、ブラッグ条件からはずれることで回折効率が低調となり、均一な明るさのホログラム再生画像が得られない。このような観点に基づき、上記従来のホログラム記録再生装置では、記録時と同一の入射角で参照光を照射しつつも、ホログラムが記録された所定領域を微小距離移動させ、その移動ごとに撮像装置によってホログラムの再生画像を取得するようにしている。つまり、移動ごとに得られた再生画像のそれぞれは、部分的にブラッグ条件に合致することで明るい部分を有しており、この明るい部分を画像処理によって合成することにより、１つのホログラムに対応した完全な再生画像を得ている。
【０００４】
【特許文献１】特開２００６−８４５２６号公報
【発明の開示】
【発明が解決しようとする課題】
【０００５】
しかしながら、上記従来のホログラム記録再生装置では、１つのホログラムを再生するのに複数の再生画像を取り込まなければならないので、ある程度の容量をもつバッファメモリを装備しなければならず、複雑な画像合成などを行うといった点からも、画像処理に要するハードおよびソフトウェアの負担が大きいという難点があった。このような画像処理に要する負担が大きくなると、具体的にたとえば、消費電力の増加や装置のコストアップが生じ、さらには再生時のデータ転送速度について高速化が望めない。
【０００６】
本発明は、上記した事情のもとで考え出されたものであって、簡単な制御で迅速かつ完全にホログラムを再生することができるホログラム記録再生装置を提供することをその課題としている。
【課題を解決するための手段】
【０００７】
上記課題を解決するため、本発明では、次の技術的手段を講じている。
【０００８】
本発明により提供されるホログラム記録再生装置は、記録すべき情報に応じて変調された記録光をホログラム記録媒体の所定領域に集光させるのと同時に、この所定領域に対して所定の入射角をなすように参照光を照射し、これら記録光と参照光との干渉によりホログラムを記録する一方、ホログラムが記録された上記所定領域に参照光を照射することで回折光を生じさせ、この回折光を撮像手段で受光することにより、上記ホログラムを再生するホログラム記録再生装置であって、上記ホログラムを再生する際、上記所定領域に対して所定の角度範囲で入射角を変化させながら参照光を照射するとともに、その所定の角度範囲を上記ホログラム記録媒体の歪み度合いに応じて変化させる参照光照射制御手段と、上記所定の角度範囲で参照光の入射角を変化させる間、上記撮像手段に露光状態を継続させる撮像制御手段とを備えていることを特徴としている。
【０００９】
好ましくは、上記参照光照射制御手段は、上記ホログラム記録媒体の記録時に対する再生時の歪み度合いが大になるほど、上記所定の角度範囲を大きくとる。
【００１０】
好ましくは、上記参照光照射制御手段は、上記所定の角度範囲で参照光の入射角を時間的に変化させる割合を上記ホログラム記録媒体の歪み度合いに応じて可変制御する。
【００１１】
好ましくは、上記参照光照射制御手段は、参照光の入射角を変化させる際、その入射角を上記所定の角度範囲内において繰り返し変動させる。このような参照光の入射角を繰り返し変動させる動作には、比較的短い時間内において周期的に行われる動作も含まれる。
【００１２】
好ましくは、上記所定の角度範囲には、記録時における上記所定の入射角に対応した角度が含まれる。
【００１３】
このような構成によれば、再生時にホログラム記録媒体の歪み度合いに応じた参照光入射角の可変制御がなされ、回折光を適宜十分な光量で受光することができるので、ハードおよびソフトウェア上の負担を撮像手段にかけることなく簡単な制御だけで所定領域に記録されたホログラムを迅速かつ完全に再生することができる。
【００１４】
本発明のその他の特徴および利点は、添付図面を参照して以下に行う詳細な説明によって、より明らかとなろう。
【発明を実施するための最良の形態】
【００１５】
以下、本発明の好ましい実施の形態を、図面を参照して具体的に説明する。図１は、本発明に係るホログラム記録再生装置の一実施形態を示している。
【００１６】
図１に示すように、本実施形態のホログラム記録再生装置Ａは、いわゆる角度多重方式によってホログラム記録媒体Ｂの所定領域に複数のホログラムを多重記録するとともに、その所定領域に記録されたホログラムを再生する機能を備えたものである。このホログラム記録再生装置Ａは、光学系を構成する要素として、光源１、コリメータレンズ２、第１のビームスプリッタ３、ビームエキスパンダ４Ａ，４Ｂ、空間光変調器５、第２のビームスプリッタ６、記録光用のリレーレンズ７Ａ，７Ｂ、対物レンズ７、固定ミラー８Ａ，８Ｂ，８Ｃ、記録用のガルバノミラー９、記録時参照光用のリレーレンズ１０Ａ，１０Ｂ、再生用のガルバノミラー１１、再生時参照光用のリレーレンズ１２Ａ，１２Ｂ、および撮像手段としてのフォトディテクタ１３を備えている。これらの光学系は、図示しないピックアップに搭載されている。空間光変調器５は、記録制御部２０により制御される。記録用および再生用のガルバノミラー９，１１は、参照光照射制御部３０により制御される。フォトディテクタ１３は、撮像制御部４０に制御される。図示しないその他の構成要素としては、ディスク状のホログラム記録媒体Ｂを回転させるための回転機構や、ホログラム記録媒体Ｂの径方向にピックアップユニットを移動させるためのトラッキングサーボ機構、さらには全体の動作を制御するマイクロコンピュータなどを備えている。記録制御部２０、参照光照射制御部３０、および撮像制御部４０は、マイクロコンピュータに接続されている。
【００１７】
上記ホログラム記録装置Ａに用いられるホログラム記録媒体Ｂは、光透過性を有する２つの保護層９０Ａ，９０Ｂの間に記録層９１をもち、この記録層９１に対して両側から光を入射可能なものである。記録層９１においては、記録光Ｓと参照光Ｒとが所定の角度で交差しながら干渉することにより、その交差角に応じて異なる干渉縞パターンのホログラムが記録される。再生時には、一点鎖線で示すようにホログラム記録媒体Ｂに対して記録時とは反対側から参照光Ｒ’が照射される。これにより、ホログラムが記録された所定領域においては、参照光Ｒ’がホログラムに干渉することで回折光が生じ、この回折光が再生光として対物レンズ７へと進行する。
【００１８】
光源１は、たとえば半導体レーザ素子からなり、記録時および再生時にコヒーレント光としてのレーザ光を出射する。コリメータレンズ２は、光源１から出射したレーザ光を平行光に変換する。コリメータレンズ２から出射した平行光は、第１のビームスプリッタ３へと導かれ、この第１のビームスプリッタ３は、入射した平行光を空間光変調器５に向かう記録光Ｓと、これとは別の光路を経て記録用や再生用のガルバノミラー９，１１へと向かう参照光Ｒとに分離する。これにより、記録時における参照光Ｒの波長は、記録光Ｓの波長と必ず一致する。ビームエキスパンダ４Ａ，４Ｂは、組み合わせレンズからなり、記録光Ｓの径を拡大しながらこの記録光Ｓを空間光変調器５へと導く。
【００１９】
空間光変調器５は、たとえば液晶装置からなり、入射した記録光Ｓを記録すべき情報に応じた画素パターンの光に変調する。記録制御部２０は、記録すべき情報に応じて異なる画素パターンの光が生じるように空間光変調器５を制御する。空間光変調器５から出射した記録光Ｓは、第２のビームスプリッタ６を透過してリレーレンズ７Ａ，７Ｂおよび対物レンズ７へと導かれ、最終的にホログラム記録媒体Ｂの所定領域に照射される。このとき、第１のビームスプリッタ３を透過した参照光Ｒは、固定ミラー８Ａ，８Ｂを介して記録用のガルバノミラー９へと導かれ、このガルバノミラー９で反射した後、リレーレンズ１０Ａ，１０Ｂを通って記録光Ｓと干渉するようにホログラム記録媒体Ｂの所定領域に照射される。記録用のガルバノミラー９は、所定領域に対する参照光Ｒの入射角が所定の角度をなすように参照光照射制御部３０によって制御される。これにより、所定領域においては、一定入射角の記録光Ｓと所定入射角の参照光Ｒとが干渉し、この参照光Ｒの入射角がいろんな角度をとることで異なる干渉縞パターンからなる複数のホログラムが多重記録される。なお、記録時における参照光Ｒの入射角については、記録情報としてホログラム記録媒体Ｂに記録するようにしてもよいし、あるいは制御量として予め規定されているものでもよい。
【００２０】
ホログラムの再生時には、参照光Ｒ’が固定ミラー８Ｃを介して再生用のガルバノミラー１１へと導かれ、再生用のガルバノミラー１１は、ホログラム記録媒体Ｂの所定領域に対して入射角を変化させながら参照光Ｒ’を照射する。参照光Ｒ’は、記録時とは正反対の向きをなす共役光となり、この参照光Ｒ’がリレーレンズ１２Ａ，１２Ｂを通って所定領域Ｔに照射される。このとき、空間光変調器５は、所定領域に対して記録光Ｓを照射しないように制御される。一方、参照光Ｒ’は、多重記録されたホログラムを再生するために入射角が変化させられるが、記録時の所定入射角を含む所定の角度範囲で入射角が変化している間に連続照射され、しかも、その入射角が時間的に変化する割合（以下、これを「入射角速度」と称する）が参照光照射制御部３０によって可変制御される。また、参照光Ｒ’の入射角が変化する所定の角度範囲は、ホログラム記録媒体Ｂの歪み度合いに応じて変化させられる。つまり、記録時の参照光Ｒは、たとえば入射角がθ１，θ２，…となるごとに停止照射される一方、再生時の参照光Ｒ’は、その入射角が所定の角度範囲θ１±α，θ２±β，…にある間に限って連続照射され、その連続照射時における入射角速度が変化させられる。
【００２１】
参照光Ｒ’が所定領域に照射されると、記録済みのホログラムに参照光Ｒ’が干渉することで回折光が生じる。回折光は、記録光Ｓとは逆向きに進んで第２のビームスプリッタ６へと導かれ、この第２のビームスプリッタ６を介してフォトディテクタ１３に受光される。フォトディテクタ１３は、たとえばＣＣＤあるいはＣＭＯＳといった２次元イメージセンサからなり、このフォトディテクタ１３は、参照光Ｒ’の入射角が所定の角度範囲θ１±α，θ２±β，…で変化させられる間（参照光Ｒ’が連続照射される間）、撮像制御部４０の制御によって露光状態が継続される。このようなフォトディテクタ１３によれば、記録情報として回折光の画素パターンが検出されることでホログラムが再生される。
【００２２】
ホログラムの記録原理は、図２に示す波数空間Ｋを用いて説明することができる。
【００２３】
図２に示すように、波数空間Ｋは、２π／λ（λ：光の波長）を半径とする単位円であり、この波数空間Ｋに記録光Ｓの波数ベクトルｓ１，ｓ２と参照光Ｒの波数ベクトルｒとを表すことができる。ここで、参照光Ｒは、平行光として照射される一方、記録光Ｓは、その軸上光線束および軸外光線束が対物レンズ７の開口角に応じて所定領域に集光させられるため、軸外光線束の位置によって参照光Ｒとのなす角が大きく異なる。そのため、同図に示すように、参照光Ｒとのなす角が最小となる記録光Ｓの軸外光線束については、その波数ベクトルがｓ１となり、参照光Ｒとのなす角が最大となる記録光Ｓの軸外光線束については、その波数ベクトルがｓ２となる。このような記録光Ｓの各波数ベクトルｓ１，ｓ２と参照光Ｒの波数ベクトルｒとの差分ベクトルにより、記録されたホログラムの波数ベクトルＨ１，Ｈ２が表される。これは、参照光Ｒを一定の入射角で照射しても、ホログラムが一様な干渉縞パターンにならず、不等間隔の干渉縞パターンとして記録されることを意味している。
【００２４】
ホログラムの再生原理については、図３（Ａ）および（Ｂ）に示す波数空間Ｋとグラフを用いて説明することができる。図３（Ａ）は、ホログラム記録媒体Ｂの記録時に対する再生時の歪みがない場合を示しており、図３（Ｂ）は、記録時に対する再生時の歪みがある場合を示している。
【００２５】
再生時のホログラム記録媒体Ｂに歪みがない場合、図３（Ａ）に示すように、波数空間Ｋには、記録済みのホログラムの波数ベクトルＨ１，Ｈ２が表される一方、記録時と同じ入射角をなす参照光Ｒ’の波数ベクトルｒ’が表される。再生時に生じる回折光のうち、対物レンズ７の光軸に対して軸外光線束となるものは、波数ベクトルｐ１，ｐ２で表され、これらの波数ベクトルｐ１，ｐ２は、ホログラムの各波数ベクトルＨ１，Ｈ２と参照光Ｒ’の波数ベクトルｒ’との合成ベクトルとして表される。シミュレーションによる考察結果を同図（Ａ）のグラフに破線で示すように、単位時間当たりの回折光量は、波数ベクトルｐ１，ｐ２に対応する軸外光線束のいずれについても、参照光Ｒ’の入射角が記録時と同一角度のときに最も強くなる。つまり、再生時にホログラム記録媒体Ｂに歪みがない場合には、記録時と同じ入射角に保った状態で参照光Ｒ’を照射すると、記録光Ｓと同じ画素パターンをもつ均一な明るさの回折光が得られる。同図（Ａ）のグラフには、実測による回折光全体についての単位時間当たりの回折光量がプロット線で表されており、これからも概ね均一な明るさの回折光が得られることがわかる。
【００２６】
一方、再生時のホログラム記録媒体Ｂに歪みがある場合、図３（Ｂ）に示すように、歪みがない場合の波数空間Ｋに対して若干ずれた位置に波数空間Ｋ’，Ｋ”が表される。一方の波数空間Ｋ’には、ホログラムの波数ベクトルＨ１が表され、他方の波数空間Ｋ”には、ホログラムの波数ベクトルＨ２が表される。ここで、再生時には、記録光Ｓと同じ軸外光線束をもつ回折光を生じさせなければならない。そのため、一方の波数空間Ｋ’においては、上記回折光と同一の波数ベクトルｐ１が得られるように、記録時とは異なる入射角をなす参照光Ｒ’の波数ベクトルｒ１’が表される。他方の波数空間Ｋ”においても、上記回折光と同一の波数ベクトルｐ２が得られるように、記録時とは異なる入射角をなす参照光Ｒ’の波数ベクトルｒ１”が表される。シミュレーションによる考察結果を同図（Ｂ）のグラフに破線で示すように、単位時間当たりの回折光量は、波数ベクトルｐ１に対応するものと波数ベクトルｐ２に対応するものとでピーク値になる参照光Ｒ’の入射角が異なる。つまり、再生時にホログラム記録媒体Ｂに歪みがある場合には、これに記録されたホログラムも歪んだ状態になるため、記録時と同じ入射角で参照光Ｒ’を照射しても、全体的に明るい回折光が得られない。また、参照光Ｒ’の入射角を変化させた上でも、波数ベクトルｐ１に対応する光と波数ベクトルｐ２に対応する光が異なる位置の軸外光線束に相当するため、所望とする回折光量が部分的にしか得られない。同図（Ｂ）のグラフには、実測による回折光全体についての単位時間当たりの回折光量がプロット線で表されており、これからも回折光の明るさが特定の入射角でしかも部分的に強くなることがわかる。
【００２７】
このようなホログラム記録媒体Ｂの歪みによって生じる回折光の不均一性に対処すべく、本実施形態では、以下に説明する制御態様でホログラムを再生するようにしている。図４（Ａ）は、ホログラム記録媒体Ｂに歪みがない場合のホログラム再生制御態様を示しており、図４（Ｂ）は、ホログラム記録媒体Ｂに歪みがある場合のホログラム再生制御態様を示している。
【００２８】
図４（Ａ）に示すように、ホログラム記録媒体Ｂに歪みがない場合、記録時と同じ入射角を中心付近に含む所定の角度範囲ｔで入射角を変化させながら参照光Ｒ’を連続的に照射する。その際、入射角速度については、所定の角度範囲ｔの中心へと進む際に減速し、その中心から離れる際に加速するような速度カーブを描くように制御される。また、参照光Ｒ’の入射角が所定の角度範囲ｔで変化させられる間（参照光Ｒ’が連続照射されている間）、フォトディテクタ１３の露光状態が継続される。つまり、記録時に比べて再生時のホログラム記録媒体Ｂの歪みが小さい場合には、比較的小さい所定の角度範囲ｔで参照光Ｒ’の入射角が変化させられ、記録時と同じ入射角付近で参照光Ｒ’の照射滞在時間が最も大きくなるように照射される。これにより、フォトディテクタ１３においては、受光面全体で効率よく回折光が受光され、概ね均一な明るさをもって回折光の画素パターンが認識される。
【００２９】
一方、図４（Ｂ）に示すように、ホログラム記録媒体Ｂにある程度の歪みがある場合、記録時と同じ入射角を中心付近に含むものの比較的大きく設定された所定の角度範囲Ｔで入射角を変化させながら参照光Ｒ’を連続的に照射する。この際においても、入射角速度は、所定の角度範囲Ｔの中心へと進む際に減速し、その中心から離れる際に加速するような速度カーブを描くように制御される。また、参照光Ｒ’の入射角が所定の角度範囲Ｔで変化させられる間（参照光Ｒ’が連続照射されている間）、フォトディテクタ１３の露光状態が継続される。つまり、記録時に比べて再生時のホログラム記録媒体Ｂの歪みが大きい場合には、比較的大きい所定の角度範囲Ｔで参照光Ｒ’の入射角が変化させられ、それに応じてフォトディテクタ１３が長時間露光とされるため、時間的および角度的に回折光量が均一化される。これにより、フォトディテクタ１３の受光面全体では、部分的に損失なく回折光が受光され、概ね均一な明るさをもって回折光の画素パターンが認識される。
【００３０】
これら図４（Ａ）および（Ｂ）に太線のグラフで示される入射角速度は、単位角度当たりの照射滞在時間の逆数に相当するものであり、単位角度当たりの照射滞在時間を示すグラフ（特に図示しない）としては、入射角速度のグラフを上下反転させた格好となる。再生時のデータ転送時間は、照射滞在時間のグラフを上記所定の角度範囲ｔ，Ｔで積分して求められる。つまり、再生時のデータ転送時間につき、ホログラム記録媒体Ｂの歪みに関係なく一定とする場合、同図（Ａ）および（Ｂ）に示すように極小値などが異なる傾向の入射角速度となる。ただし、図４（Ｂ）に示すような傾向の入射角速度としても、たとえば再生時のＳＮ比が著しく劣る場合、極小値をより小さく設定してデータ転送時間が長くなるようにしてもよい。
【００３１】
なお、ホログラム記録媒体Ｂの歪み度合いを判定する手法としては、たとえば、記録時に図示しない温度センサで検知した温度を記録時温度情報としてホログラム記録媒体Ｂにあらかじめ書き込んでおき、再生時にその記録時温度情報を読み出すことにより、記録時と再生時の温度差からホログラム記録媒体Ｂの歪み度合いを判定するようにしてもよい。また、たとえばホログラム記録媒体Ｂのブート領域に歪み度合いを調べるためのホログラムパターンをあらかじめ設けておき、このホログラムパターンを再生時に読み取ることでホログラム記録媒体Ｂの歪み度合いを判定するようにしてもよい。図４（Ａ）および（Ｂ）に示すホログラム再生制御態様は、多重記録された１つのホログラムを再生する場合の態様であり、このような再生制御を繰り返し行うことで多重記録された複数のホログラムを再生することができる。
【００３２】
したがって、本実施形態のホログラム記録再生装置Ａによれば、再生時に参照光Ｒ’の入射角を所定の角度範囲ｔ，Ｔで変化させながらその入射角速度を可変制御し、その間、フォトディテクタ１３に連続露光させるように制御するので、ハードおよびソフトウェア上の負担をフォトディテクタ１３にかけることなく簡単な制御だけで所定領域に記録されたホログラムを迅速かつ完全に再生することができる。
【００３３】
図５は、他の実施形態によるホログラム再生制御態様を示している。なお、本実施形態の構成要素としては、図１に示す構成要素と同様のものが適用されるため、これらと同一符合を付してその説明を省略する。図５（Ａ）は、ホログラム記録媒体Ｂに歪みがない場合のホログラム再生制御態様を示しており、図５（Ｂ）は、ホログラム記録媒体Ｂに歪みがある場合のホログラム再生制御態様を示している。
【００３４】
図５（Ａ）に示すように、ホログラム記録媒体Ｂに歪みがない場合、記録時と同じ入射角を含む所定の角度範囲ｔ内において入射角を周期的に変動させながら参照光Ｒ’を連続的に照射する。そのため、再生用のガルバノミラー１１を制御する参照光照射制御部３０には、発振回路が設けられている。このようにしても、所定の角度範囲ｔ内における参照光Ｒ’の照射滞在時間が適切に制御される。また、参照光Ｒ’の入射角が所定の角度範囲ｔで周期的に変化させられる間（参照光Ｒ’が連続照射されている間）、フォトディテクタ１３の露光状態が継続される。つまり、記録時に比べて再生時のホログラム記録媒体Ｂの歪みが小さい場合には、比較的小さい所定の角度範囲ｔ内において参照光Ｒ’の入射角が発振させられる。これにより、フォトディテクタ１３においては、受光面全体で効率よく回折光が受光され、概ね均一な明るさをもって回折光の画素パターンが認識される。
【００３５】
一方、図５（Ｂ）に示すように、ホログラム記録媒体Ｂにある程度の歪みがある場合、記録時と同じ入射角を含むものの比較的大きく設定された所定の角度範囲Ｔ内において入射角を周期的に変動させながら参照光Ｒ’を連続的に照射する。この際においても、所定の角度範囲Ｔ内における参照光Ｒ’の照射滞在時間が適切に制御される。また、参照光Ｒ’の入射角が所定の角度範囲Ｔで周期的に変化させられる間（参照光Ｒ’が連続照射されている間）、フォトディテクタ１３の露光状態が継続される。つまり、記録時に比べて再生時のホログラム記録媒体Ｂの歪みが大きい場合には、比較的大きい所定の角度範囲Ｔ内において参照光Ｒ’の入射角が発振させられ、それに応じてフォトディテクタ１３が長時間露光とされるため、時間的および角度的に回折光量が均一化される。このようにホログラム記録媒体Ｂの歪みに応じて参照光Ｒ’の入射角の発振幅を大きくすることにより、フォトディテクタ１３の受光面全体では、部分的に損失なく回折光が受光され、概ね均一な明るさをもって回折光の画素パターンが認識される。
【００３６】
したがって、本実施形態のホログラム記録再生装置によっても、ハードおよびソフトウェア上の負担をフォトディテクタ１３にかけることなく簡単な制御だけで所定領域に記録されたホログラムを迅速かつ完全に再生することができる。
【００３７】
なお、本発明は、上記の各実施形態に限定されるものではない。
【００３８】
たとえば、図５に示すように参照光の入射角を発振させる場合、その発振周波数などを適宜可変調整することにより、再生画像の明るさ分布を適宜変更することが可能な、いわば画像フィルタのような機能をミラーの周期的な動きによって実現するようにしてもよい。
【００３９】
図６に示すように、他の実施形態によるホログラム記録再生装置Ａ’としては、参照光Ｒ，Ｒ’を照射するための固定ミラー９’，１１’をアーム５０の先端に設け、このアーム５０を駆動モータ６０によって揺動させることにより、参照光Ｒ，Ｒ’の入射角を変化させるような構成としてもよい。
【図面の簡単な説明】
【００４０】
【図１】本発明に係るホログラム記録再生装置の一実施形態を示す全体構成図である。
【図２】ホログラムの記録原理を説明するための説明図である。
【図３】ホログラムの再生原理を説明するための説明図である。
【図４】図１のホログラム記録再生装置によるホログラム再生制御態様を説明するための説明図である。
【図５】他の実施形態によるホログラム再生制御態様を説明するための説明図である。
【図６】他の実施形態によるホログラム記録再生装置の全体斜視図である。
【符号の説明】
【００４１】
Ａ        ホログラム記録再生装置
Ｂ        ホログラム記録媒体
Ｓ        記録光
Ｒ，Ｒ’  参照光
１３      フォトディテクタ（撮像手段）
３０      参照光照射制御部（参照光照射制御手段）
４０      撮像制御部（撮像制御手段）
【図１】
2008152009.tif 000003
【図２】
2008152009.tif 000004
【図３】
2008152009.tif 000005
【図４】
2008152009.tif 000006
【図５】
2008152009.tif 000007
【図６】
2008152009.tif 000008